(57)【要約】【課題】斜面に簡単に設置でき、安全で座り心地の良い折り畳み腰掛けを提供する。【解決手段】腰掛け１は、接地面部形成板２と座面部形成板３と支持部材５とを有し、接地面部形成板２と座面部形成板３とは互いに後縁で開閉可能に結合されており、支持部材５の一端が、座面部形成板３に係止又は連結し、支持部材５の他端が、接地面部形成板２に係止又は連結されることにより、接地面部形成板２と座面部形成板３との二つの面で作る角度が所定の角度に保持可能に構成されている。【選択図】図３
2012239850.tif 000002
【特許請求の範囲】
【請求項１】
接地面部形成板と座面部形成板と支持部材とを有し、前記接地面部形成板と前記座面部形成板とは互いに後縁で開閉可能に結合されており、前記支持部材の一端が、前記座面部形成板に係止又は連結し、前記支持部材の他端が、前記接地面部形成板に係止又は連結されることにより、前記接地面部形成板と前記座面部形成板との二つの面で作る角度が所定の角度に保持可能に構成されていることを特徴とする腰掛け。
【請求項２】
前記接地面部形成板の下面に、滑落防止のための滑り止め部材が配置されていることを特徴とする請求項１に記載の腰掛け。
【請求項３】
前記座面部形成板の後縁に、背もたれ部形成板が開閉可能に結合されていることを特徴とする請求項１又は２に記載の腰掛け。
【発明の詳細な説明】
【技術分野】
【０００１】本発明は、斜面等に手軽に設置でき、安定した座り心地を提供できる腰掛けに関するものである。
【背景技術】
【０００２】斜面に設置することを目的とする腰掛け、椅子、及びそれらに類似するものは現在いくつかの種類がある。【０００３】下記の特許文献１には、斜面で使える折りたたみ椅子が開示されている。この折りたたみ椅子は、交差する前脚と後脚の一方の脚の中心点をずらす事によって、折りたたみ椅子の脚の接地面と坐面との角度が変えられるため、椅子を設置しようとする斜面の傾斜角に応じて坐面を水平に保つことが出来るように構成されている。
また、下記の特許文献２には、斜面等に座ることができる、前脚杆と後脚杆を枢支した折たたみ椅子が開示されている。この折たたみ椅子の脚杆の下部には、接地台部が揺動自在に設けられている。また、脚杆の下端は先鋭に形成されているとともに、接地台部より下方に進退自在に設けられている。
【先行技術文献】
【特許文献】
【０００４】
【特許文献１】特開２００５−２９６１８９号公報
【特許文献２】実開平０７−２５８４９号公報
【発明の概要】
【発明が解決しようとする課題】
【０００５】上記特許文献１のタイプの折りたたみ椅子は、以下に述べる二つの理由から、斜面で使用される椅子としての安定性が十分でなかった。一つ目の理由は、このタイプの椅子は斜面に固定されるわけではなく、単に斜面の上に置かれるにすぎなかった。二つ目の理由は、地面から比較的に離れた位置に座面部があったことと、折りたたみ椅子が軽量であったことにより、着座した状態での重心の位置が高かった。【０００６】特許文献２のタイプでは、脚杆の下部の形状からして、リュックやカバンに気軽に入れるほどコンパクトに折りたたむことは出来なく、携帯に不便だった。また、スポーツ等の観客で混雑した斜面において使用された場合、安定した座面部を提供するために張り出した後脚杆に周囲を歩く人が躓く危険性があった。【０００７】また、比較的に地面から離れた位置に座面部がある特許文献１と特許文献２のタイプでは、グリーン周りでのゴルフ観戦や外野席での野球観戦等に使用された場合、後ろに位置する観客の視界を妨げる恐れがあった。【０００８】総合的に見て、観戦者で込み合う傾斜地に手軽に持ち込み、周囲の観戦者の迷惑にならない状態で設置でき、なお且つ使用者に安定した座り心地を提供できる携帯用腰掛けは無かった。【０００９】本発明の目的は斯かる課題に鑑みてなされたもので、上記の課題を解決することが出来る腰掛けを提供することである。
【課題を解決するための手段】
【００１０】上述した課題を解決するために、本発明の腰掛けは、接地面部形成板と座面部形成板と支持部材とを有し、前記接地面部形成板と前記座面部形成板とは互いに後縁で開閉可能に結合されており、前記支持部材の一端が、前記座面部形成板に係止又は連結し、前記支持部材の他端が、前記接地面部形成板に係止又は連結されることにより、前記接地面部形成板と前記座面部形成板との二つの面で作る角度が所定の角度に保持可能に構成されていることを特徴とする。
また、本発明の腰掛けは、前記接地面部形成板の下面に、滑落防止のための滑り止め部材が配置されていることを特徴とする。
また、本発明の腰掛けは、前記座面部形成板の後縁に、背もたれ部形成板が開閉可能に結合されていることを特徴とする。
【発明の効果】
【００１１】請求項１に説明された本発明によれば、地面に至極近い位置に腰掛けることが出来るので、重心が低く、優れた安定性が得られると同時に、後方に位置する観客の視界を妨げる恐れも無い。また、三角柱を横に倒したような、三つの面が組み合わさった構成で腰掛けを形成することが出来るので至極頑丈であるとともに、腰掛けと地面が面で接するため安定性に優れ、梅雨時の土手の斜面の様な軟らかい地盤にでも安心して腰掛けを設置することができる。さらに、本発明の腰掛けは、使用する人の腰から外側に大きくはみ出さないほどの大きさでも良いので、周囲を歩く人が本腰掛けに躓く心配が少ない。また、閉じた状態にするとノート型パソコン程のコンパクトな形状となるので、携帯に便利であると同時に、観客で込み合うスペースにも手軽に運び込むことが出来る。
また、請求項２に説明された本発明によれば、腰掛けの滑落を防止する事の出来る滑り止め部材を使用し、勾配が急な斜面や、芝が乾燥して滑りやすい斜面などでも、滑落の心配をせずに、安定した座り心地を享受することが出来る。
また、請求項３に説明された本発明によれば、長時間にわたって座り続ける必要がある場合であっても、背もたれを使用することで疲労を軽減することが出来る。
【図面の簡単な説明】
【００１２】
【図１】本発明の第１の実施形態の腰掛けを示す後面斜視図である。
【図２】（ａ）は図１に示す腰掛けの右側面図である。（ｂ）はＡ部のミゾ部の拡大図である。（ｃ）は同じくＡ部のミゾ部の他の例の拡大図である。
【図３】図１に示す腰掛けの着座状態を示す右側面図である。
【図４】本発明の第２の実施形態の腰掛けの、着座状態を示す右側面図である。
【図５】本発明の第２の実施形態の腰掛けの、底面斜視図である。
【図６】本発明の第３の実施形態の腰掛けの、後面斜視図である。
【図７】（ａ）は本発明の第４の実施形態の腰掛けの、後面斜視図である。（ｂ）はＢ部の係止部の拡大図である。（ｃ）はＢ部の側面背もたれ部支持部材の係合穴部の拡大図である。
【発明を実施するための形態】
【００１３】以下、図面を参照して、本発明の一実施形態を説明する。
【００１４】本発明の第１の実施形態を説明する。図１、図２に示すように、腰掛け１は、平面視略矩形状の接地面部形成板２と、平面視略矩形である座面部形成板３と、支持部材５とを有する。接地面部形成板２と座面部形成板３とは、互いに後縁で連結部材４によって開閉可能に結合されている。支持部材５は、一端に形成されたヒンジ状の支持部材上部連結部５ａで、座面部形成板３の下面に開閉可能に連結しており、支持部材５の他端が接地面部形成板２の上面に形成された溝状の支持部材係止ミゾ部６に係止されることにより、接地面部形成板２と座面部形成板３との二つの面で作る角度が所定の角度αに保持される。
【００１５】支持部材５が支持部材係止ミゾ部６に係止された状態を確実に保持するために、図２で示すように、面ファスナーによる留め具材７が、接地面部形成板前縁１１の留め具材結合部７ａに結合され、留め具材係止部７ｂが座面部形成板前縁１１′に形成されている。
【００１６】図３に示すように、接地面部形成板２と座面部形成板３との面で作る角度αを支持部材５が保持した状態で、斜面に腰掛け１を設置すると、略水平状態の座面部形成板３に腰を掛ける事が出来る。
【００１７】支持部材係止ミゾ部６にはミゾが複数形成されており、異なったミゾに支持部材５を係止することで、座面部形成板３と接地面部形成板２とを異なる角度で固定することが可能となり、結果的に勾配の異なった斜面に対応して、座面部形成板３がより水平に近い状態になるように調節して腰掛け１を設置する事が出来る。支持部材係止ミゾ部６のミゾの断面の形状は、図２（ｂ）で示すように、鋸の歯のような略三角形状でも良いし、また図２（ｃ）で示すように略四角形状でも良い。
接地面部形成板２と座面部形成板３とは、合成樹脂で形成され、支持部材５と連結部材４とは、薄くても必要な強度が得られるように、金属で形成されている。
【００１８】図１で示すように、座面部形成板３の下面には、折り畳まれた支持部材５を収納するための、支持部材収納凹部５ｂが形成されている。支持部材５は比較的厚みの薄い金属で形成され、支持部材収納凹部５ｂの凹部は、座面部形成板３の強度を損なわないほどに浅く形成される。
【００１９】本実施形態によれば、支持部材５を座面部形成板３の下面に折り畳み、腰掛けを閉じ、留め具材７を留め具材係止部７ｂに係止すると、腰掛け１はノート型パソコン程のコンパクトな形状となり、携帯に便利であると同時に、観客で込み合うスペースにも手軽に運び込むことが出来る。
【００２０】また、支持部材５は座面部形成板３の下面に開閉可能に連結しているので、接地面部形成板２を下にして座面部形成板３を上方に押し開くと、支持部材５の下端が重力によって自動的に接地面部形成板２の上面に形成された支持部材係止ミゾ部６近辺に位置するので使い勝手が良い。また、支持部材部５の一端が、腰掛け１の本体に連結しているので、構造的に安定するとともに、腰掛け１の設置および撤去がより簡単になり、また支持部材５の紛失を避ける事が出来る。
【００２１】上記実施形態では、支持部材５は、一端が座面部形成板３の下面に連結し、他端が接地面部形成板２の上面に係止されることにより、接地面部形成板２と座面部形成板３との二つの面で作る角度を所定の角度αに保持していたが、支持部材５の連結、係止の形態はこの実施形態に限定されるものではなく、例えば一端が接地面部形成板２の上面に連結し、他端が座面部形成板３の下面に係止してもよいし、両端がそれぞれ接地面部形成板２の上面と座面部形成板３の下面とに形成されたミゾ部に係止し、留め具材７でこの係止状態を保持しても良い。また、接地面部形成板２と座面部形成板３とに形成されたミゾ部が蟻ミゾである場合は、両形成板の側面から紙芝居の紙を差し込む要領で両形成板に係止された支持部材５が、腰掛け１の使用中に外れるという恐れが無いので、留め具７を用い係止状態を保持する必要がない。
なお、ここで連結とは軸支や、枢支や、一定角度に固定すること、あるいは分離させる事の出来ない状態であることを意味し、使用する部品の例として、例えばヒンジのように回転自在に支持する部品や、断面Ｌ字型の金属板で支持部材と座面部形成板とをネジで固定する部品といった部品の例が挙げられる。
【００２２】上記実施形態では、接地面部形成板２と座面部形成板３とが平面視略矩形の形状をしていたが、接地面部形成板２と座面部形成板３との形状は本実施形態に限定されるものではなく、例えば平面視略台形状であっても良い。また、支持部材５の形態も本実施形態の矩形状に限定されるものではなく、例えば一対の棒状支持部材が、接地面部形成板２の上面の前縁近くの左右に、長手方向（左右幅方向）内側に向かって折り畳み可能に枢着されている形態であっても良い。この場合、座面部形成板３の下面の左右には、棒状支持部材が係止する為の穴部が設けられている。また、接地面部形成板２の上面には、棒状支持部材の収納凹部が設けられている。また、複数対の棒状支持部材が、後縁に向かって平行に設けられており、使用する棒状支持部材の対を選択する事で、腰掛け１を設置する斜面の異なる傾斜角度に対応できるよう構成されている。
棒状支持部材は接地面部形成板２の上面に設けられているので、腰掛け１を設置するために接地面部形成板２を下にして座面部形成板３を開いた時、棒状支持部材がすぐに目に入り、適切な対の棒状支持部材を選び、収納凹部から引き出す事が容易で使い勝手が良い。
【００２３】次に、本発明の第２の実施形態を説明する。図５に示すように、接地面部形成板２の下面には、滑り止め部材として、地面に差し込まれることで腰掛け１を斜面に固定することの出来る滑り止めピン８が、下方突出状態に複数配置されている。滑り止めピン８は、滑り止めピン８と接地面部形成板５の下面との作る角度βが０°〜９０°の範囲で、接地面部形成板前縁１１の方向のみに折り畳み可能に接地面部形成板２の下面に枢着されている。また、接地面部形成板２の下面には、滑り止めピン収納凹部８ａが設けられている。滑り止めピン８は錆びにくい金属で形成されている。
【００２４】本実施形態によれば、図４に示すように、滑り止めピン８を使用することで、急な斜面や、芝が乾燥して滑りやすい斜面にでも、腰掛け１を安定して設置する事が出来る。
【００２５】また、図５に示すように、腰掛け１には、滑り止め部材として、滑り止めピン８とは別に、ゴムにより形成された滑り止めシート９が、接地面部形成板２の下面の全面又は一部に配置されている。本実施形態によれば、滑り止めピン８を差し込む事が出来ないコンクリートや板張りの斜面においては、滑り止めピン８を滑り止めピン収納部８ａに収納したまま腰掛け１を斜面に設置すると、滑り止めシート９が直接斜面に接し、滑落防止の機能を果たす。滑り止めシート９の材質はゴムに限定されるものではなく、コンクリート面や板張り面に対する摩擦係数の大きい他の素材であっても良い。なお、図５では腰掛け１は滑り止めピン８と滑り止めシート９との両方を備えているが、どちらか一方を備えるだけでもよい。
【００２６】腰掛け１に特に大きな荷重がかかると予想されるなど、腰掛け１の滑落防止能力を強化する必要があると思われる場合は、図５に示すように、滑落防止部材１８を挿通部１７に挿通し、ハンマー等で地面に打込む事により、より堅固に腰掛け１を斜面に設置し得るように構成されている。
【００２７】次に、本発明の第３の実施形態を説明する。図６で示すように、座面部形成板３の後縁に、背もたれ部形成板１６が開閉可能に結合している。また背もたれ部形成板１６の背もたれ面の裏側には、平面視略コの字形をした、薄くても必要な強度が保てる金属板で形成された背面背もたれ部支持部材１２が開閉可能に設置されている。また、背面背もたれ部支持部材１２の先端部には爪部１３が設けられている。爪部１３が地面に差し込まれ、背面背もたれ部支持部材１２が地面に固定されることで、座面部形成板３と背もたれ部形成板１６とのつくる角度θは保持される。また、背面背もたれ部支持部材１２及び爪部１３を収納するための収納凹部１４が、背もたれ部形成板１６の背もたれ面の反対面に設けられている。また、背もたれ部形成板１６は、合成樹脂で形成されている。背もたれ部形成板前縁１１″には、留め具材係止部７ｃが形成されている。第３の実施形態における腰掛け１の閉じている状態を保持したい場合は、接地面部形成板前縁１１の留め具材結合部７ａに結合された留め具材７を留め具材係止部７ｃに係止する。
【００２８】次に、本発明の第４の実施形態を説明する。前記第３実施形態では、背もたれ部形成板１６が背面背もたれ部支持部材１２により所定の角度θに保持されたが、本実施形態では図７（ａ）、（ｂ）、（ｃ）に示すように、腰掛け１が、紐状又は棒状の側面背もたれ部支持部材１５を有し、側面背もたれ部支持部材１５の両端に形成された係合穴部１５ａが、接地面形成板２と背もたれ部形成板１６との左右側面に突出設置された係止部１５ｂに、それぞれ係止固定されることにより、背もたれ部形成板１６を所定の角度θに保持するよう構成されている。紐状の側面背もたれ部支持部材１５及び係合穴部１５ａは引っ張り強さの強い繊維で出来ており、棒状の側面背もたれ部支持部材１５及び係合穴部１５ａは金属又はグラスファイバー製であり、係止部１５ｂは金属で形成されている。また、座面部形成板３の上面後部には、側面背もたれ部支持部材１５を収納するため収納凹部１５ｃが蓋１５ｄ付きで設置されている。
なお、腰掛け１は、背面背もたれ部支持部材１２と側面背もたれ部支持部材１５とを同時に備えていてもよい。
【００２９】次に、本発明の腰掛け１の、腰掛け以外の用途について説明する。
三角柱を横にしたような形状で構成することが出来る腰掛け１は、至極頑丈な構造を持っているので腰掛けの他にも色々な用途が考えられる。腰掛け１を腰掛け以外の目的に応用する場合で、腰掛け１の滑落防止能力を強化する必要があると思われる時は、滑落防止部材１８を打設する。また、腰掛け１を腰掛け以外の目的に応用する場合は、状況に応じて背もたれ部形成板１６は設置しなくても良い。
【００３０】大型の腰掛け１を庭の斜面に設置し、鉢植え等を置く台として利用しても良い。
また、斜面に位置して作業をせざるを得ないような建設現場等では、金属製の大型の本腰掛け１を斜面に設置し、作業員の足場として、あるいは工具等を置く台として利用しても良い。
【００３１】さらに、腰掛け１を仮設の階段というエクステリア用品として応用しても良い。庭園、公園、又は一般住宅の土や芝生の斜面に、腰掛け１を、高低差をつけて連続的に配置し、階段として利用する。腰掛け１を利用した階段は、設置、取り外しが容易なので、設置場所の変更や階段周囲の芝の手入れが楽である。階段として使用される腰掛け１は、金属等の強度と耐久性に優れた素材で形成される。
【００３２】また、仮設階段として応用される場合のように、頻繁に持ち運びをする事がなく、折り畳み機能を必要としない場合には、腰掛け１は、座面部形成板３と、接地面部形成板２と、支持部材５と、滑り止めピン８との全て、又はそれらのうちの幾つかが、互いに始めから結合されていて、一体化された形態の物であっても良い。
【００３３】次に第６図における腰掛１の使用手順について説明する。
【００３４】腰掛け１を芝生等の斜面で使用する場合は、滑り止めピン収納部８ａから滑り止めピン８を略９０°引き起こして、三つの形成板が閉じられた状態の腰掛け１を、連結部材４のある後縁１０を斜面上方に向けて斜面に置き、背もたれ部形成板１６の上面から斜面に対し垂直方向に圧力をかけ先端先細り形状に形成された滑り止めピン８を斜面に突き刺さし、腰掛け１を斜面に固定させる。その後、背もたれ部形成板係止部７ｃに係止されている留め具材７をはずす。折り重なった状態の座面部形成板３と背もたれ部形成板１６とを略水平になるまで開き上げ、座面部形成板３の下面に開閉可能に設置された支持部材５の下端を接地面部形成板２の上面に形成された支持部材係止ミゾ部６に係止し、座面部形成板３及び背もたれ部形成板１６の略水平状態を固定する。支持部材係止ミゾ部６に支持部材５が係止された状態を確実に保持するために、留め具材７を留め具係止部７ｂに係止する。その後、背もたれ部形成板１６を背もたれとして希望する位置まで回動し、背面背もたれ部支持部材１２又は側面背もたれ部支持部材１５で固定し、斜面を背にして座面部形成板３の上面に腰掛ける。背もたれを必要としない場合は、座面部形成板３の上に折り畳まれた背もたれ部形成板１６の上に腰掛ける。滑落の心配のない斜面では、滑り止めピン８を滑り止めピン収納部８ａに収納したままで腰掛け１を斜面に設置する。コンクリートや板張りの斜面においても、滑り止めピン８を滑り止めピン収納部８ａに収納したままで腰掛け１を斜面に設置し、滑り止めシート９の滑落防止機能を有効にする。腰掛け１は素早く設置、撤去することが出来るところに特徴があり、より適切な場所を確保するため素早く場所を変える必要が想定されるスポーツ観戦、花火見物などで使用されるのに適している。
【００３５】また、平地に座る場合は、座面部形成板３と接地面部形成板２と背もたれ部形成板１６とが閉じられた状態の腰掛け１を、接地面部形成板２を下にして設置し、背もたれ部形成板１６の上に腰掛けることが出来る。地面に直接座るより、少しでも高さのある物の上に腰掛けた方が快適であるし、腰の冷え、服の汚れ、虫さされ等を避ける事も出来る。また、この状態から背もたれ部形成板１６を回動し、背面背もたれ部支持部材１２又は側面背もたれ部支持部材１５で固定すると、座面部形成板の上面に座る背もたれ付きの椅子として使用できる。平地に座る場合は、滑り止めピン８は使用しなくても良い。
【００３６】第２図に示された、背もたれ部形成板１６を持たない腰掛け１においても、接地面部形成板２と座面部形成板３とが閉じた状態の腰掛け１を、接地面部形成板２を下にして平地に設置し、座面部形成板３の上に腰掛けることが出来る。
【符号の説明】
【００３７】１          腰掛け
２          接地面部形成板
３          座面部形成板
４          連結部材
５          支持部材
５ａ        支持部材上部連結部
５ｂ        支持部材収納凹部
６          支持部材係止ミゾ部
７          留め具材
７ａ        留め具材結合部
７ｂ        留め具材係止部
７ｃ        留め具材係止部
８          滑り止めピン
８ａ        滑り止めピン収納凹部
９          滑り止めシート
１０        後縁
１１        接地面部形成板前縁
１１′      座面部形成板前縁
１１″      背もたれ部形成板前縁
１２        背面背もたれ部支持部材
１３        爪部
１４        収納凹部
１５        側面背もたれ部支持部材
１５ａ      係合穴部
１５ｂ      係止部
１５ｃ      収納凹部
１５ｄ      蓋
１６        背もたれ部形成板
１７        挿通部
１８        滑落防止部材
【図１】
2012239850.tif 000003
【図２】
2012239850.tif 000004
【図３】
2012239850.tif 000005
【図４】
2012239850.tif 000006
【図５】
2012239850.tif 000007
【図６】
2012239850.tif 000008
【図７】
2012239850.tif 000009
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
接地面部形成板と座面部形成板と支持部材とを有し、前記接地面部形成板と前記座面部形成板とは互いに後縁で開閉可能に結合されており、前記支持部材の一端が、前記座面部形成板に係止又は連結し、前記支持部材の他端が、前記接地面部形成板に係止又は連結されることにより、前記接地面部形成板と前記座面部形成板との二つの面で作る角度が所定の角度に保持可能に構成され、また前記接地面部形成板の下面には、滑り止めピンが、下方突出および折り畳み可能に枢着されているとともに、前記滑り止めピン用の滑り止めピン収納凹部が設けられていることを特徴とする腰掛け。
【請求項２】
前記接地面部形成板の下面に、滑り止めシートが配置され、前記滑り止めピンを前記滑り止めピン収納凹部に収納したまま前記腰掛けを斜面に設置すると、前記滑り止めシートが直接斜面に接し、滑落防止の機能を果たすことを特徴とする請求項１記載の腰掛け。
【請求項３】
前記座面部形成板の後縁に、背もたれ部形成板が開閉可能に結合され、さらに前記背もたれ部形成板の背もたれ面の裏側に、背面背もたれ部支持部材が開閉可能に設置されていることを特徴とする請求項１又は２に記載の腰掛け。
【手続補正２】
【補正対象書類名】明細書
【補正対象項目名】００１０
【補正方法】変更
【補正の内容】
【００１０】上述した課題を解決するために、本発明の腰掛けは、接地面部形成板と座面部形成板と支持部材とを有し、前記接地面部形成板と前記座面部形成板とは互いに後縁で開閉可能に結合されており、前記支持部材の一端が、前記座面部形成板に係止又は連結し、前記支持部材の他端が、前記接地面部形成板に係止又は連結されることにより、前記接地面部形成板と前記座面部形成板との二つの面で作る角度が所定の角度に保持可能に構成され、また前記接地面部形成板の下面には、滑り止めピンが、下方突出および折り畳み可能に枢着されているとともに、前記滑り止めピン用の滑り止めピン収納凹部が設けられていることを特徴とする。
また、本発明の腰掛けは、前記接地面部形成板の下面に、滑り止めシートが配置され、前記滑り止めピンを前記滑り止めピン収納凹部に収納したまま前記腰掛けを斜面に設置すると、前記滑り止めシートが直接斜面に接し、滑落防止の機能を果たすことが望ましい。
また、本発明の腰掛けは、前記座面部形成板の後縁に、背もたれ部形成板が開閉可能に結合され、さらに前記背もたれ部形成板の背もたれ面の裏側に、背面背もたれ部支持部材が開閉可能に設置されていることが望ましい。
【手続補正３】
【補正対象書類名】明細書
【補正対象項目名】００１１
【補正方法】変更
【補正の内容】
【００１１】  請求項１に記載された発明によれば、地面に至極近い位置に腰掛けることが出来るので、重心が低く、優れた安定性が得られると同時に、後方に位置する観客の視界を妨げる恐れも無い。また、三角柱を横に倒したような、三つの面が組み合わさった構成で腰掛けを形成することが出来るので至極頑丈であるとともに、腰掛けと地面が面で接するため安定性に優れ、梅雨時の土手の斜面の様な軟らかい地盤にでも安心して腰掛けを設置することが出来る。さらに、本発明の腰掛けは、使用する人の腰から外側に大きくはみ出さないほどの大きさでも良いので、周囲を歩く人が本腰掛けに躓く心配が少ない。
また、腰掛けの滑落を防止する事の出来る滑り止めピンを使用し、勾配が急な斜面や、芝が乾燥して滑りやすい斜面などでも、滑落の心配をせずに、安定した座り心地を享受することが出来る。また、腰掛けを閉じた状態にすると、ノート型パソコン程のコンパクトな形状となるので、携帯に便利であると同時に、観客で込み合うスペースにも手軽に運び込むことが出来る。
また、請求項２に記載された発明によれば、滑り止めピンを差し込む事が出来ないコンクリートや板張りの斜面において、滑り止めピンを滑り止めピン収納凹部に収納したまま腰掛けを斜面に設置すると、接地面部形成板の下面に配置された滑り止めシートが直接斜面に接し、滑落防止の機能を果たす事が出来る。
また、請求項３に説明された本発明によれば、長時間にわたって座り続ける必要がある場合であっても、背面背もたれ部支持部材によって固定された背もたれを使用することで疲労を軽減することが出来る。
【手続補正４】
【補正対象書類名】明細書
【補正対象項目名】００２３
【補正方法】変更
【補正の内容】
【００２３】図５に示すように、接地面部形成板２の下面には、滑り止め部材として、地面に差し込まれることで腰掛け１を斜面に固定することの出来る滑り止めピン８が、下方突出状態に複数配置されている。滑り止めピン８は、滑り止めピン８と接地面部形成板５の下面との作る角度βが０°〜９０°の範囲で、接地面部形成板前縁１１の方向のみに折り畳み可能に接地面部形成板２の下面に枢着されている。また、接地面部形成板２の下面には、滑り止めピン収納凹部８ａが設けられている。滑り止めピン８は錆びにくい金属で形成されている。
【手続補正５】
【補正対象書類名】明細書
【補正対象項目名】００２５
【補正方法】変更
【補正の内容】
【００２５】次に、本発明の第２の実施形態を説明する。図５に示すように、腰掛け１には、滑り止め部材として、滑り止めピン８とは別に、ゴムにより形成された滑り止めシート９が、接地面部形成板２の下面の全面又は一部に配置されている。本実施形態によれば、滑り止めピン８を差し込む事が出来ないコンクリートや板張りの斜面においては、滑り止めピン８を滑り止めピン収納凹部８ａに収納したまま腰掛け１を斜面に設置すると、滑り止めシート９が直接斜面に接し、滑落防止の機能を果たす。滑り止めシート９の材質はゴムに限定されるものではなく、コンクリート面や板張り面に対する摩擦係数の大きい他の素材であっても良い。なお、図５では腰掛け１は滑り止めピン８と滑り止めシート９との両方を備えているが、どちらか一方を備えるだけでもよい。
【手続補正６】
【補正対象書類名】明細書
【補正対象項目名】００３４
【補正方法】変更
【補正の内容】
【００３４】  腰掛け１を芝生等の斜面で使用する場合は、滑り止めピン収納凹部８ａから滑り止めピン８を略９０°引き起こして、三つの形成板が閉じられた状態の腰掛け１を、連結部材４のある後縁１０を斜面上方に向けて斜面に置き、背もたれ部形成板１６の上面から斜面に対し垂直方向に圧力をかけ先端先細り形状に形成された滑り止めピン８を斜面に突き刺さし、腰掛け１を斜面に固定させる。その後、背もたれ部形成板係止部７ｃに係止されている留め具材７をはずす。折り重なった状態の座面部形成板３と背もたれ部形成板１６とを略水平になるまで開き上げ、座面部形成板３の下面に開閉可能に設置された支持部材５の下端を接地面部形成板２の上面に形成された支持部材係止ミゾ部６に係止し、座面部形成板３及び背もたれ部形成板１６の略水平状態を固定する。支持部材係止ミゾ部６に支持部材５が係止された状態を確実に保持するために、留め具材７を留め具材係止部７ｂに係止する。その後、背もたれ部形成板１６を背もたれとして希望する位置まで回動し、背面背もたれ部支持部材１２又は側面背もたれ部支持部材１５で固定し、斜面を背にして座面部形成板３の上面に腰掛ける。背もたれを必要としない場合は、座面部形成板３の上に折り畳まれた背もたれ部形成板１６の上に腰掛ける。滑落の心配のない斜面では、滑り止めピン８を滑り止めピン収納凹部８ａに収納したままで腰掛け１を斜面に設置する。コンクリートや板張りの斜面においても、滑り止めピン８を滑り止めピン収納凹部８ａに収納したままで腰掛け１を斜面に設置し、滑り止めシート９の滑落防止機能を有効にする。腰掛け１は素早く設置、撤去することが出来るところに特徴があり、より適切な場所を確保するため素早く場所を変える必要が想定されるスポーツ観戦、花火見物などで使用されるのに適している。